(57)【要約】【課題】特定商品販売者の常客が、パソコン・携帯電話器による電子情報によって注文商品の宅配届けを電子注文する在宅注文ショッピングにおいて、購入希望商品の商品コードＮｏ．や小分類細目の電子情報を、簡便的確に入手して宅配依頼できる在宅注文ショッピング方法を提供する。【解決手段】常客が、特定商品販売者の販売商品のＪＡＮコードシステムの商品別バーコードの下５桁ないし下７桁の数値のみを、該特定商品販売者のＰＯＳシステムＰの物流サーバー２に電子紹介情報Ｄ１として入力して、自己のパソコン１２・携帯電話器１３の電子情報画面に購入希望商品の商品小分類細目一覧を開いて希望商品を選択して電子注文し、しかるのち該電子注文によって前記特定商品販売者が該注文商品を宅配届けする在宅注文ショッピング方法が特徴である。【選択図】　　図１
2004139362.tif 000002
【特許請求の範囲】
【請求項１】
特定商品販売者の常客が、パソコン・携帯電話器による電子情報によって注文商品の宅配届けを電子注文する在宅注文ショッピングにおいて、該常客が、前記特定商品販売者の販売商品のＪＡＮコードシステムの商品別バーコードの下５桁ないし下７桁の数値のみを、該特定商品販売者のＰＯＳシステムの物流サーバーに電子紹介情報として入力して、自己の電子情報画面に購入希望商品の商品小分類細目一覧を開いて希望商品を選択して電子注文し、しかるのち該電子注文によって前記特定商品販売者が該注文商品を宅配届けすることを特徴とする在宅注文ショッピング方法。
【発明の詳細な説明】
【０００１】
【発明の属する技術分野】
本発明は、スーパーマーケット等の常客が購入希望商品を在宅注文して宅配を受ける在宅注文ショッピング方法に関するものである。
【０００２】
【従来の技術】
近年、パソコン・テレビ・ちらし広告等による販売商品の宣伝広告情報の充実・拡大により、商品購入希望者が商品販売の店頭に出向しないで、インターネット通信や電話通信等の遠隔通信手段によって希望商品を注文して、希望日時に宅配届けを受ける在宅注文ショッピング方法が普及しており、商品購入者は在宅のまま希望商品が入手できると共に、商品販売店の店頭に出向し難い高令者・病弱者等の購入弱者にとって極めて便利にして、かつ、商品販売者側にも「商品展示スペースの縮小・商品在庫キャパシティーの縮小」等のメリットをもたらすので、日常食料品等を一般家庭等の大衆を相手に販売するスーパーマーケットにも普及する傾向にある。
【０００３】
【発明が解決しようとする課題】
以上の在宅注文ショッピング方法の在宅注文は、近年広く普及しているパソコン・携帯電話器の電子情報画面による注文商品の選択・注文手段が広く普及する傾向にあるものの下記の難点が存在する。
【０００４】
即ち、自己のパソコン・携帯電話器をスーパーマーケット等の特定商品販売者のＰＯＳシステム（コンピュータ活用の公知の販売時点の管理システム）の物流サーバーにアクセスして、購入希望商品の該ＰＯＳシステムの商品コードＮｏ．を入力して、そのコードＮｏ．によって特定された商品を電子注文するのが原則的手段となる。従って、そのコードＮｏ．が不明のときは当該購入商品の大分類から中分類を経由して「販売形態の商品細目を特定した小分類」に至る商品情報を自己のパソコン・携帯電話器の電子情報画面に順次開いて注文商品を選択決定する注文手段となるので、多大の手数と時間を要する煩雑な注文プロセスとなる。
【０００５】
さらに、米・酒類・タバコのように個人別嗜好性が強い商品や商品個別の特性相違が存在する商品では、銘柄・等級・商標等の商品細目が異なるものを随時変更して購入消費したいケースがかなりあり、このような同一中分類に属する商品群の中から細目仕様が異なる小分類商品に変更したいときは、その小分類商品の内容や商品コードＮｏ．を把握するために前記後者の煩雑な商品の調査選択手段を採らざるを得ない不便性がある。
【０００６】
本発明は、以上の従来技術の難点を解消する在宅注文ショッピング方法を提供するものである。
【０００７】
【課題を解決するための手段】
以上の技術課題を解決する本発明は「特定商品販売者の常客が、パソコン・携帯電話器による電子情報によって注文商品の宅配届けを電子注文する在宅注文ショッピングにおいて、該常客が、前記特定商品販売者の販売商品のＪＡＮコードシステムの商品別バーコードの下５桁ないし下７桁の数値のみを、該特定商品販売者のＰＯＳシステムの物流サーバーに電子紹介情報として入力して、自己の電子情報画面に購入希望商品の商品小分類細目一覧を開いて希望商品を選択して電子注文し、しかるのち該電子注文によって前記特定商品販売者が該注文商品を宅配届けすることを特徴とする在宅注文ショッピング方法」に成っている。
【０００８】
即ち、前記構成の本発明の在宅注文ショッピング方法は、スーパーマーケット等において広く普及している「販売商品の個個に表示している「ＪＡＮコード」システムのバーコード」の下５桁ないし下７桁の数値のみを活用することによって、商品購入者が希望する小分類商品の商品細目のみに限定した不可欠少数の電子情報のみを、簡便かつ的確にして迅速に入手可能にする思想から成るものである。
【０００９】
なお、本発明における在宅注文とは、厳密な在宅のみではなく外出先を含む「販売店へ出頭しないで注文する遠隔注文」を意味する。
【００１０】
【作用】
前記構成の本発明の在宅注文ショッピング方法は、購入希望商品の商品コードＮｏ．が不明のときや「米・日本酒」等の中分類商品内において商品販売単位に区分した「当該商品の銘柄・等級・価格・販売形態」等の小分類商品の内容を知得したいときは、前記のバーコードの下５桁ないし下７桁の数値のみの電子紹介情報入力によって迅速かつ的確にその詳細内容が知得できる。
【００１１】
そして、１３桁数字から成るＪＡＮコードシステムのバーコードの下５桁ないし下７桁の５〜７の数字のみを電子情報として入力すれば良いので、その入力セットが極めて簡便にして、数字違いの誤入力を生ずるおそれが極めて少く、正確・迅速な電子情報入手が可能になる。そして、そのときの商品販売者のＰＯＳシステムの返信電子情報には、希望する商品小分類情報以外の無駄な過剰情報が存在しないので、その商品情報の視認による把握整理が即時的確にできる。以上の特有作用がある。
【００１２】
なお、ＪＡＮコードシステムの１３桁数字のバーコードの下５桁ないし下７桁には、当該商品の商品細目があらわれているので、その下５桁ないし下７桁の数字の入力によってＰＯＳシステムの物流サーバーが当該商品の小分類を認知作用して前記の商品情報の返信作用ができる。
【００１３】
【発明の実施の形態】
特定したスーパーマーケット（以下、販売者Ａという）と、この販売者Ａから日常消費品等を宅配システムを利用して継続的に購入する常客との間に適用した本発明１実施形態を図１・表１〜表３を参照して詳しく説明する。即ち、まずこの在宅注文ショッピング方法の適用を受けようとする常客は、販売者Ａに会員登録すると共に、購入代金決済用の口座Ｎｏ．を登録設定する。
【００１４】
そして、販売者Ａは、自己の販売商品のそれぞれに「ＪＡＮコードシステム」の１３桁のバーコードを表示すると共に、登録会員（以下、常客Ｂという）の電子情報入信紹介によって常客Ｂが購入希望する商品の小分類電子情報が返信提供可能になる商品の電子情報交信システムを「自己のＰＯＳシステムＰの物流サーバー２に所要のデータベースを入力して」構築設定すると共に、常客Ｂの在宅注文によって常客Ｂの指定場所へ注文商品を宅配届けする商品宅配システムを構築する。かくして、以上の電子情報交信システムの基において、本発明の在宅注文ショッピング方法が以下のように実行される。
【００１５】
詳しくは、それぞれの常客Ｂが自己のパソコン１２または携帯電話器１３の電子情報で注文して、販売者Ａから購入希望商品の宅配を受けようとするときは、常客Ｂが販売者Ａが定めた販売単位商品の商品コードＮｏ．を販売者Ａの物流サーバー２に宅配依頼電子情報Ｄ３として入力すると、販売者Ａは後述する受注商品の宅配システムによって常客Ｂ毎の注文商品が常客Ｂ毎の指定場所へ宅配届される。
【００１６】
しかし、常客Ｂが購入希望商品の商品コードＮｏ．や商品細目が不明のときや、購入希望商品の細目を知得したいときや変更したいときは、以下の特別の電子情報プロセスによって、購入希望商品の細目電子情報紹介とそれによる小分類商品情報の交信が以下のように実行される。
【００１７】
即ち、このような場合の常客Ｂは、表１に例示する「販売者Ａが自己の販売単位商品のそれぞれに表示している「ＪＡＮコード」システムの商品別バーコード」にして、前記販売単位商品の「日本酒・ビール・みそ・しょうゆ・米」等の中分類商品区分内のいずれかの商品のバーコードの下５桁ないし下７桁の５〜７の数値を販売者Ａの物流サーバー２にアクセスした自己のパソコン１２または携帯電話器１３によって物流サーバー２に電子紹介情報Ｄ１として入力する。
【００１８】
【表１】
2004139362.tif 000003
【００１９】
続いて、その電子紹介情報Ｄ１を入力した物流サーバー２は、前記の５〜７の入力数値によって当該商品バーコードが属する表１・表２に例示する当該商品の中分類商品（表２は日本酒、表３は米）をキャッチして整理し、表２・表３に例示する当該中分類商品の販売単位商品の小分類商品の細目（商品コードＮｏ．・産地・銘柄・商標名・販売単位・価格・販売形態等）を一覧表にした商品細目の商品細目電子情報Ｄ２を、常客Ｂのパソコン１２・携帯電話器１３の画面に返送信する。
【００２０】
【表２】
2004139362.tif 000004
【００２１】
【表３】
2004139362.tif 000005
【００２２】
即ち、常客Ｂは前記バーコード下５桁〜７桁の数値の物流サーバー２への電子入力によって自己のパソコン画面・携帯電話器画面に表２・表３の小分類商品の商品細目を自動的に開くことができる。
【００２３】
かくして、その商品細目情報を入手した常客Ｂは、その内容を知得整理して宅配を受けようとする商品を選択し、その商品コードＮｏ．を宅配依頼電子情報Ｄ３として物流サーバー２へ返送信することによって宅配注文する。
【００２４】
かくして、以上の宅配注文の電子情報が物流サーバー２に入力されると（図１参照）物流サーバー２から宅配注文の商品ピッキングリスト４と商品仕分けリスト５が出力されて、それに基づく商品の出庫・整理と宅配先毎の「商品群を入れた宅配体８」が整理されて宅配車１０に積載され、同じく物流サーバー２から出力した宅配リスト６によって宅配車１０が常客Ｂ群の宅配ロッカー１１を巡回し、それぞれの宅配ロッカー１１に宅配体８が届けられる。なお、図中のＳ１・Ｓ２は宅配リスト６・宅配体８・宅配ロッカー１１に表示した識別バーコードＣ１・Ｃ２の一致性チェックのハンディースキャナ、図中の７は宅配商品である。
【００２５】
以上の実施形態の宅配注文ショッピング方法は前記の作用があり、電子情報によって宅配注文をしようとするとき、その宅配注文商品の商品コードＮｏ．が不明であったり、同一中分類に属する小分類商品群の中から「自己の好みに合せて商品変更したいとき」は、使用済み商品または手元商品のＪＡＮコードシステムのバーコードを活用して商品コードＮｏ．と、嗜好に合致する小分類商品を選択特定して、的確かつ簡易に宅配注文できる。
【００２６】
そして、バーコード数値の下５桁ないし下７桁の数字のみを物流サーバー２へ入力すれば良く、１３桁のバーコード数値の全数や中間１部のみでないので物流サーバー２への入力操作が的確かつ迅速にし易く、その数字ミスによる宅配注文商品の商品誤認・誤送の宅配トラブル発生が極めて少く、電子情報通信による宅配性能が安定する。
【００２７】
なお、前記実施形態の図１に示す宅配システムは、本発明の商品購入者のパソコン・携帯電話器による電子情報宅配のみではなく、従来から普及している商品購入者の電話通信・ＦＡＸ通信・パソコン通信等による通常形態の宅配注文商品の宅配届けも複合して実行される。
【００２８】
【発明の効果】
以上の説明のとおり本発明の在宅注文ショッピング方法は、宅配希望商品の商品コードＮｏ．が不明のときや、同一中分類商品内の小分類商品を自己の嗜好に応じて変更したいとき、自己のパソコン・携帯電話器によって必要不可欠の最小量の電子商品情報のみを簡便かつ的確に入手して即時注文ができるので、宅配注文ショッピング方法を適用する商品販売者・商品購入者の双方の便宜を向上する。そして、多大の社会的メリットを有する在宅注文ショッピングの一段の安定と普及を促進する。以上の有用な諸効果がある。
【図面の簡単な説明】
【図１】本発明の在宅注文ショッピング方法の一実施形態の体系図
【符号の説明】
１　ＤＢサーバー
３　物流サーバー
４　商品ピッキングリスト
５　商品仕分けリスト
６　宅配リスト
７　商品
８　宅配体
１０　宅配車
１１　宅配ロッカー
１２　パソコン
１３　携帯電話器
Ｄ１　電子紹介情報
Ｄ２　商品細目電子情報
Ｄ３　宅配依頼電子情報
Ｐ　ＰＯＳシステム
【図１】
2004139362.tif 000006